(57)【要約】      （修正有）【課題】建造物の揺れによる天井と壁や柱との間の位置ずれによる破損の防止を可能にする防煙垂壁取付装置を提供する。【解決手段】防煙垂壁取付装置であって，垂壁本体の上縁部を支持し且つ該上縁部の表裏面をそれぞれ覆うものである，天井に固定された天井側支持部材２と，該壁に固定された壁側保持手段３と，を含んでなり，該天井側支持部材の末端９と壁面との間で少なくとも部分的に垂壁本体の表裏の間を通ずる間隙が形成されており，天井側支持部材の末端領域の側面に取り付けられ，該天井側支持部材材の末端を超えて長手方向に延び，該間隙を塞いでいるものである，端部カバー部材１０とを含んでなり，該天井側支持部材への該端部カバー部材の取り付けが，壁側から押圧力を受けたときそれに応じて，該端部カバー部材が該天井側支持部材に沿って後退方向にスライド可能な仕方でなされている。【選択図】図１
2018071294.tif 000002
【特許請求の範囲】
【請求項１】
防煙垂壁取付装置であって，
垂壁本体の上縁部を支持し且つ該上縁部の表裏面をそれぞれ覆うものである，天井に固定された天井側支持部材と，
該垂壁本体の，壁に対向して配置される垂直な縁部を保持するものである，該壁に固定された壁側保持手段と，
を含んでなり，
該天井側支持部材の末端が壁面まで延びておらず，それにより該末端と壁面との間で少なくとも部分的に垂壁本体の表裏の間を通ずる間隙が形成されており，
天井側支持部材の末端領域の側面に取り付けられ，該天井側支持部材材の末端を超えて長手方向に延び，該間隙を塞いでいるものである，端部カバー部材とを含んでなり，
該天井側支持部材への該端部カバー部材の取り付けが，壁側から押圧力を受けたときそれに応じて，該端部カバー部材が該天井側支持部材に沿って後退方向にスライド可能な仕方でなされているものである，
防煙垂壁取付装置。
【請求項２】
該天井側支持部材への該端部カバー部材の取付けが，該端部カバー部材に形成されている水平方向のスリットに通されて該天井側支持部材に固定されているネジ又はピンによるものである，請求項１の防煙垂壁取付装置。
【請求項３】
該垂壁本体が，張られたシートであるか，又は１枚のパネル又は連続して配列された２枚以上のパネルで構成されているものである，請求項１又は２の防煙垂壁取付装置。
【請求項４】
請求項１〜３何れかの防煙垂壁取付装置と，これにより取り付けられた垂れ壁本体とからなる，防煙垂壁。
【発明の詳細な説明】
【技術分野】
【０００１】
本発明は，防煙垂壁取付装置に関し，詳しくは地震時の天井と壁や柱との間の位置ずれに対処できる防煙垂壁取付装置に関する。
【背景技術】
【０００２】
防煙垂壁は，火災時に発生する煙から人が避難する時間を稼ぐために，煙の流れを遮断する目的で天井から下方に所定の高さまで設けられる壁であり，一定以上の床面積を有する建造物にはその設置が義務付けられている。
【０００３】
防煙垂壁には，プレート状のガラスパネルからなるもの（特許文献１，２）や，外枠とこれに張られた不燃性シートからなるパネルを用いたもの（特許文献３），帯状の不燃性シートからなるもの（特許文献４〜６）等が知られている。これらの防煙垂壁は，これを定められた位置及び高さに安定して保持しておくための手段の一つとして，天井に固定された支持部材（本発明において，「天井側支持部材」という。）を用いており，天井側支持部材は，建造物の向かい合った壁や柱（以下，あわせて「壁」と総称する。）の間に設置される防煙垂壁に合わせ，且つ，煙が流れ込む隙間が末端に生じないよう，壁から壁まで延びた形で設けられている。
【０００４】
しかしながら，地震発生時に，建造物が揺れることによって建造物の壁と天井との間に，位置ずれが生じる場合があり，特に，歪んで大きな応力が生じないように設計されている免震性の構造物（例えば耐震天井）においては，このずれが大きくなる。壁と天井と間のそのような位置ずれが起こった場合，天井に固定されている上記天井側支持部材は，たとえ一時的であってもその末端で壁に強く押されることとなり，壁や天井を破損し，最悪の場合天井から脱落する可能性も否定できない。このため，現在では，例えば特定天井（脱落によって重大な危害が生ずるおそれがあるものとして国土交通大臣によって定められる天井）等では，天井面に固定して取り付けられた部材の各末端につき，壁との間に６０ｍｍ以上の隙間を設けることが求められている。
【先行技術文献】
【特許文献】
【０００５】
【特許文献１】ＷＯ ２００４／０９３９９８号公報
【特許文献２】特開２００６−００２４５４号公報
【特許文献３】特開２０１３−０００２１０号公報
【特許文献４】特開２０１３−１２１４６９号公報
【特許文献５】特開２０１５−０１９８４８号公報
【特許文献６】特開２０１６−０５９７２７号公報
【発明の概要】
【発明が解決しようとする課題】
【０００６】
上記の背景において，本発明の目的は，天井側支持部材の末端と壁との間に隙間を設けた状態で，その隙間に煙が流れ混むのを防止できるようこれを塞ぐことができ，且つ，地震の際に天井と壁との間の位置ずれが起こっても，それによって天井側支持部材に壁からの強い押圧力が負荷されるのを防止でき，更に，既存の防煙垂壁取付装置の設計に，特段の変更を必要とすることなしにこれらの機能を同時に実現できる手段を提供することである。
【課題を解決するための手段】
【０００７】
上記目的に沿って検討の結果，本発明者は，防煙垂壁取付装置を下記の構成とすることにより，上記の目的が達成できることを見出した。本発明は，当該発見に基づき更に検討を加えて完成させたものである。即ち，本発明は以下を提供する。
【０００８】
１．防煙垂壁取付装置であって，
垂壁本体の上縁部を支持し且つ該上縁部の表裏面をそれぞれ覆うものである，天井に固定された天井側支持部材と，
該垂壁本体の，壁に対向して配置される垂直な縁部を保持するものである，該壁に固定された壁側保持手段と，
を含んでなり，
該天井側支持部材の末端が壁面まで延びておらず，それにより該末端と壁面との間で少なくとも部分的に垂壁本体の表裏の間を通ずる間隙が形成されており，
天井側支持部材の末端領域の側面に取り付けられ，該天井側支持部材材の末端を超えて長手方向に延び，該間隙を塞いでいるものである，端部カバー部材とを含んでなり，
該天井側支持部材への該端部カバー部材の取り付けが，壁側から押圧力を受けたときそれに応じて，該端部カバー部材が該天井側支持部材に沿って後退方向にスライド可能な仕方でなされているものである，
防煙垂壁取付装置。
２．該天井側支持部材への該端部カバー部材の取付けが，該端部カバー部材に形成されている水平方向のスリットに通されて該天井側支持部材に固定されているネジ又はピンによるものである，上記１の防煙垂壁取付装置。
３．該垂壁本体が，張られたシートであるか，又は１枚のパネル又は連続して配列された２枚以上のパネルで構成されているものである，上記１又は２の防煙垂壁取付装置。
４．上記１〜３の何れかの防煙垂壁取付装置と，これにより取り付けられた垂壁本体とからなる，防煙垂壁。
【発明の効果】
【０００９】
上記の構成になる本発明によれば，地震時の揺れに際しては建造物の壁と天井との間の位置ずれに対し，壁や天井の破損及び天井側支持部材の破損や脱落を予防しつつ，それ以外の時には天井側支持部材と壁との間隙への煙の流入を防止することが可能となる。また，本発明によれば，その目的のために従来の防煙垂壁取付装置の設計変更を要することがない。即ち，従来の防煙垂壁取付装置は，従来の天井側支持部材をその天井側支持部材の末端と壁との間に間隙が設けられるような寸法にして，そのまま用いることができ，他の部材にも変更を要しない。また，本発明によれば，既に建造物に設置されている防煙垂壁に対しても，その天井側支持部材の末端を一部切除して，本発明のために利用できるため，既存の設備の無駄を生じさせることがない。
【図面の簡単な説明】
【００１０】
【図１】図１は，シートタイプの垂壁本体を用いた防煙垂壁取付装置の一実施例の壁側部分を示す正面図である。
【図２】図２は，シートタイプの垂壁本体を用いた防煙垂壁取付装置の一実施例の壁側上部の横断面図である。
【図３】図３は，シートタイプの防煙垂壁取付装置の一実施例の壁側の端部カバー部材を通る水平断面図である。
【図４】図４は，パネルタイプの垂壁本体を用いた防煙垂壁取付装置の一実施例の一方の壁側部分を示す，中間領域を省略した正面図である。
【図５】図５は，パネルタイプの垂壁本体を用いた防煙垂壁取付装置の一実施例の壁側上部の横断面図である。
【図６】図６は，パネルタイプの垂壁本体を用いた防煙垂壁取付装置の一実施例の端部カバー部材を通る水平断面図である。
【発明を実施するための形態】
【００１１】
本発明の防煙垂壁取付装置は，例えば，特許文献１〜６に記載されているような，従来の防煙垂壁取付装置をベースとし，それらの天井側支持部材（但し，壁との間に間隙ができるよう，従来より短い長さに切られる）に端部カバー部材を装着することで構成できる。
【００１２】
即ち，従来の防煙垂壁取付装置の天井側支持部材を壁までよりも短くすることにより生じた防煙垂壁の表裏間を通ずる間隙を塞ぐように，端部カバー部材を装着すればよい。
【００１３】
端部カバー部材の形状に特に限定はないが，天井側支持部材の末端領域に装着されるものであり，装着された状態で天井側支持部材の末端を超えて延びて上記間隙を塞ぐことができるよう，天井側支持部材形状の外形に合わせたものとすることができる。また端部カバー部材の長さは，天井側支持部材に装着した状態で上記間隙を塞ぐことができるものであればよい。
【００１４】
端部カバー部材には，水平方向にスリットが形成されており，該スリットを通してネジ（ボルト，タッピングねじその他）又はピンにより天井側支持部材に保持される。この保持は，端部カバー部材を所定位置を維持でき，但し地震時における天井と壁との間の相対的な位置ずれによって端部カバー部材が壁側から押圧力を受けたとき，天井側支持部材に無理な付加がかからずに，スリット内でネジ又はピンが水平方向にずれ，それにより端部カバー部材が後退方向にスライドできるものであればよい。スリットに対しネジ又はピンは１本又は２本で十分である。スリットの長さ及びネジ又はピンの取付け位置は，端部カバー部材がスライドして十分に後退（例えば，各末端でそれぞれ６０ｍｍ以上）することを許容するように，適宜設定することができる。例えば，スリットの長さを７０ｍｍとし，ネジ又はピンの取付け位置は，端部カバー部材が延びた状態（即ち，天井側支持部材の末端側の空隙を塞いだ状態）において，スリットの反対側の隅付近とすることができるが，これに限定されない。また，端部カバー部材を天井側支持部材にばね（例えば，コイルばね）で結合し末端方向に付勢するようにしておけば，後退した端部カバー部材を元の位置に自動的に復元させることができる。
【００１５】
なお，端部カバー部材は，好ましくは，天井側支持部材を末端領域において表裏面を挟むように，１対が装着される
【実施例】
【００１６】
以下，実施例を参照して本発明を更に具体的に説明するが，本発明が実施例に限定されることは意図しない。
【００１７】
〔実施例１〕
図１は本実施例の防煙垂壁設置装置の壁（Ｗ）側部分の正面図であり，図２はその壁側上部の横断面図，図３は壁側の端部カバー部材を通る水平断面図である。本実施例において，垂壁本体は不燃性のシート１からなり，該シートが，天井側支持部材２，及びそれぞれの壁に固定された一対の壁側保持手段３により，対向する一対の壁の間に張られている。壁側保持手段３は，特開２０１３−０００２１０号公報（特許文献３）又は特開２０１５−０１９８４８号公報（特許文献５）に記載されているような，シート１を保持した可動枠４が，ボルト５に保持されたスプリング６の反撥力によって固定枠７内を壁側に引かれるように構成されている。シート１は，これにより水平方向に引かれると共に，天井側支持部材２により，重力に対して支持されている。壁（Ｗ）に固定されている壁側保持手段３は，可動枠４と壁との間の間隙を抜けて表裏側で煙が自由に流通するのを防ぐためのカバー８を備えている。
【００１８】
天井側支持部材２は，図に縦の破線で示す位置までしかその末端９が延びておらず，それより先にある壁側保持手段３のカバー８から離れている結果，それらの間においてシートの上縁（図中に破線で示す）と天井（Ｃ）との間に，垂壁本体の表裏の間で煙が通り得る間隙がある。この間隙は，端部カバー部材１０により覆われており，それにより，当該間隙を通る防煙垂壁の両面間の自由な煙の流れが防止される。
【００１９】
端部カバー部材１０は，天井側支持部材２の末端領域の側面にネジ１１で取り付けられており，ネジ１１は，端部カバー部材１０に形成されている水平なスリット１２の隅（壁と反対側）の付近に位置している。ネジ１１は，天井側支持部材２の側面に端部カバー部材１０を保持しているが強固に固定はしていない。このため，地震時に天井（Ｃ）が壁（Ｗ）側に位置ずれした場合でも，端部カバー部材１０に掛かる壁側からの押圧力（本実施例の場合，直接にはカバー８から受ける）は，端部カバー部材１０をその分スライドさせて後退させるに止まる。その結果，天井側支持部材に壁からの強い押圧力が及ぶのを防ぐことができ，壁の表面の破損や天井側支持部材の破損・落下を防止することができる。
【００２０】
〔実施例２〕
図４は，本実施例の防煙垂壁設置装置の壁側部分の正面図（中間領域は省略）であり，図５はその壁側上部の横断面図，図６は壁側の端部カバー部材を通る水平断面図である。本実施例においては，防煙垂壁の本体は複数枚のパネル１３からなり，各パネルは周囲の枠とその間に張られた部材（例えば，不燃性シート）からなる。それら複数のパネル１３が，天井側支持部材２２及びそれぞれの壁に固定された一対の壁側保持手段２３により，対向する一対の壁の間に配列されている。壁側保持手段２３は，パネル１３の末端と壁との間の間隙を抜けて表裏側で煙が自由に流通するのを塞ぐカバーとしての機能を有する。
【００２１】
天井側支持部材２２は，図に縦の破線で示す位置までしかその末端２４が延びておらず，それより先にある壁側保持手段２３及び壁（Ｗ）から離れている結果，それらの間においてパネル１３の縁と天井（Ｃ）及び壁（Ｗ）との間に垂壁本体の表裏の間で煙が通り得る間隙がある。この間隙は，端部カバー部材２５により覆われており，それにより，当該間隙を通る防煙垂壁の両面間の自由な煙の流れが防止される。
【００２２】
端部カバー部材２５は，天井側支持部材２２の末端領域の側面にネジ２６で取り付けられており，ネジ２６は，端部カバー部材２５に形成されている水平なスリット２７の隅（壁と反対側）の付近に位置している。ネジ２６は，天井側支持部材２２の側面に端部カバー部材２５を保持しているが強固に固定はしていない。このため，地震時に天井（Ｃ）が壁（Ｗ）側に位置ずれした場合でも，端部カバー部材２５に掛かる壁側からの押圧力は，端部カバー部材２５をその分スライドさせて後退させるに止まる。その結果，天井側支持部材に壁からの強い押圧力が及ぶのを防ぐことができ，壁の表面の破損や天井側支持部材の破損・落下を防止することができる。
【産業上の利用可能性】
【００２３】
本発明は，地震時の建造物の揺れにより破損や脱落を防止できる防煙垂壁取付装置として，新設の建造物のための防煙垂壁の新規設置において有用であり，更には従来の既設の防煙垂壁においても，そのような破損や脱落の防止のための改善に利用することができる。
【符号の説明】
【００２４】
１  シート
２  天井側支持部材
３  壁側保持手段
４  可動枠
５  ボルト
６  スプリング
７  固定枠
８  カバー
９  末端
１０  端部カバー部材
１１  ネジ
１２  スリット
１３  パネル
２２  天井側支持部材
２３  壁側保持手段
２４  末端
２５  端部カバー部材
２６  ネジ
２７  スリット
Ｗ  壁
Ｃ  天井
【図１】
2018071294.tif 000003
【図２】
2018071294.tif 000004
【図３】
2018071294.tif 000005
【図４】
2018071294.tif 000006
【図５】
2018071294.tif 000007
【図６】
2018071294.tif 000008